【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
方法であって、
第１計算デバイスによって、第２計算デバイスへの通信コールを開始するステップと、
前記第２計算デバイスから、該第２計算デバイスについての能力情報を受信するステップであって、前記第２計算デバイスについての前記能力情報が、前記第２計算デバイスによってサポートされる複数のサービスの属性を示す情報を含む、ステップと、
前記第１計算デバイスによって、前記第２計算デバイスについての前記能力情報を評価して、前記複数のサービスの内の第１サービスが前記第１および第２計算デバイスによってサポートされると判断するステップと、
前記第１計算デバイスによって、前記第１サービスを含む体験共有セッションを開始するステップと、
前記第１サービスについての更新情報を含む更新メッセージを受信するステップと、
前記受信した更新情報に基づいて、前記第１サービスのコンテンツを更新するステップと、
前記第１計算デバイスによって、前記体験共有セッション内で前記複数のサービスの内の第２サービスの開始を許可するステップと、
を含む、方法。
【請求項２】
請求項１記載の方法において、前記通信コールが、少なくともボイス・オーバー・インターネット・プロトコルを使用するビデオ通信および音声通信をサポートするコールを含む、方法。
【請求項３】
請求項１記載の方法において、前記第２計算デバイスについての前記能力情報が、前記複数のサービスの識別子、前記複数のサービスのバージョン識別子、または前記複数のサービスのアクション識別子の内の１つ以上を含む、方法。
【請求項４】
請求項１記載の方法において、前記第２計算デバイスについての前記能力情報が、前記複数のサービスについて、前記第２計算デバイスにおいてサポートされるアクションの１つ以上、前記第２計算デバイスにおいてサポートされるコマンド、または前記複数のサービスのデーターが編成される基となる１つ以上の方式を示す情報を含む、方法。
【請求項５】
請求項１記載の方法において、前記第２計算デバイスについての前記能力情報が、前記第２計算デバイスのデバイス能力を示し、前記デバイス能力が、処理容量、メモリー容量、表示解像度、およびネットワーク接続速度の内１つ以上を含む、方法。
【請求項６】
請求項１記載の方法において、前記体験共有セッションを開始する前記ステップが、前記体験共有セッションを確立する要求の受諾を送るステップ、または前記体験共有セッションを確立する要求の受諾を受けるステップを含む、方法。
【請求項７】
請求項１記載の方法であって、更に、前記第１計算デバイスについての前記能力情報を送るステップを含み、前記第１計算デバイスについての前記能力情報が、前記第１計算デバイスによってサポートされる前記複数のサービスの属性を示す、方法。
【請求項８】
請求項１記載の方法において、前記受信される更新メッセージが第１更新メッセージであり、
当該方法が、更に、前記第１計算デバイスにおいて前記第１サービスのアクションを実行するのに応じて、第２更新メッセージを送るステップを含み、
前記第２更新メッセージが前記第２計算デバイスにおける前記アクションの実行を指令する更新情報を含む、方法。
【請求項９】
請求項１記載の方法において、前記第１サービスのコンテンツを更新する前記ステップが、前記第１計算デバイスのディスプレイにおいて仮想オブジェクトを変化させるステップを含む、方法。
【請求項１０】
請求項１記載の方法において、前記体験共有セッションを開始する前記ステップが、前記第１サービスのためのアプリケーションを起動するステップを含む、方法。
【請求項１１】
請求項１記載の方法であって、更に、前記第１計算デバイス上の前記複数のサービスの各サービスにおける能力を制限して、前記第２計算デバイス上の当該サービスの能力に適合させるステップを含む、方法。
【請求項１２】
請求項１記載の方法において、前記体験共有セッションが第１体験共有セッションであり、当該方法が、更に、
前記第１計算デバイスによって、前記第２計算デバイスについての前記能力情報を評価して、前記複数のサービスの内の第３サービスが前記第１および第２計算デバイスによってサポートされると判断するステップと、
前記第３サービスを含む第２体験共有セッションを開始するステップと、
を含む、方法。
【請求項１３】
プロセッサーとメモリーとを含む計算デバイスであって、
第１計算デバイスとしての前記計算デバイスによって、第２計算デバイスへの通信コールを開始するステップと、
前記第２計算デバイスから、第２計算デバイスについての能力情報を受信するステップであって、前記第２計算デバイスについての前記能力情報が、前記第２計算デバイスによってサポートされる第１サービスを示す、ステップと、
前記第１計算デバイスによって、前記第２計算デバイスについての前記能力情報を評価して、前記第１および第２計算デバイスが前記第１サービスにおける少なくとも１つの相互アクションをサポートすると判断するステップと、
前記第１計算デバイスによって、前記第１サービスを含む第１体験共有セッションを開始するステップと、
前記第１計算デバイスによってサポートされる前記第１サービスにおける少なくとも１つのアクションを、前記第２計算デバイスがサポートしないと判断するステップと、
前記第２計算デバイスによってサポートされない、前記第１計算デバイスの前記第１サービスにおける前記少なくとも１つのアクションを無効にするステップと、
前記第１計算デバイスによって、前記第１サービスの少なくとも１つの相互アクションの内の所与のアクションを実行するステップと、
前記第１サービスの前記所与の相互アクションについての更新情報を含む更新メッセージを送るステップと、
前記第１計算デバイスによって、第２サービスを含む第２体験共有セッションを開始するステップであって、前記第２サービスが、前記第１計算デバイスによってサポートされ、前記第２計算デバイスについての前記能力情報において示される、ステップと、
によって、前記計算デバイスにおける相互通信を前記計算デバイスに制御させるためのコンピューター実行可能命令を前記メモリーが格納する、計算デバイス。
【請求項１４】
請求項１３記載の計算デバイスにおいて、前記第１サービスの前記所与の相互アクションを実行する前記ステップが、前記第１サービスについて表示されるコンテンツを変化させるステップを含む、計算デバイス。
【請求項１５】
請求項１３記載の計算デバイスにおいて、前記更新情報が、前記第２計算デバイスにおける前記所与の相互アクションの実行を指令するデーターを含む、計算デバイス。
【請求項１６】
請求項１３記載の計算デバイスにおいて、前記更新情報が第１更新情報であり、
前記第１サービスについての第２更新情報を受信するステップと、
前記受信した第２更新情報に基づいて、前記第１計算デバイスにおいて前記第１サービスのコンテンツを更新するステップと、
によって、前記第１計算デバイスにおける相互通信を前記第１計算デバイスに制御させるためのコンピューター実行可能命令を前記メモリーが更に格納する、計算デバイス。
【請求項１７】
請求項１３記載の計算デバイスにおいて、前記第１体験共有セッションを開始する前記ステップが、前記通信コールの開始を条件とする、計算デバイス。
【請求項１８】
請求項１３記載の計算デバイスにおいて、前記第２計算デバイスについての前記能力情報が、更に、前記第２計算デバイスによってサポートされる第３サービスの属性を示し、
前記第１計算デバイスにおける前記第１体験共有セッション内で前記第３サービスを開始することによって、前記第１計算デバイスにおける相互通信を前記第１計算デバイスに制御させるためのコンピューター実行可能命令を前記メモリーが更に格納する、計算デバイス。
【請求項１９】
光媒体ディスク、揮発性メモリー・コンポーネント、および不揮発性メモリー・コンポーネントからなる群から選択されるコンピューター読み取り可能記憶媒体であって、
第１計算デバイスによって、第２計算デバイスへの通信コールを開始するステップと、
前記第２計算デバイスから、該第２計算デバイスについての能力情報を受信するステップであって、前記第２計算デバイスについての前記能力情報が、前記第２計算デバイスによってサポートされる第１サービスの属性を示す情報を含む、ステップと、
前記第１計算デバイスによって、前記第２計算デバイスについての前記能力情報および前記第１計算デバイスについての能力情報を評価して、前記第１および第２計算デバイス双方が、前記第１サービスの第１アクションおよび第２アクションをサポートすると判断するステップと、
前記第１計算デバイスによって、前記第１サービスを含む第１体験共有セッションを開始するステップと、
前記第２計算デバイスについての前記能力情報に基づいて、前記第１計算デバイス上の前記第１サービスにおける機能を制限して、前記第２計算デバイス上の前記第１サービスの機能に適合させるステップと、
前記第１サービスについての第１更新情報を含む第１更新メッセージを受信するステップと、
前記受信した第１更新情報に基づいて、前記第１サービスの第１アクションを実行するステップと、
前記第１計算デバイスによって、前記第１サービスの第２アクションを実行するステップと、
前記第２アクションの実行に基づいて、前記第１サービスについての第２更新情報を含む第２更新メッセージを送るステップであって、前記第２更新情報が、前記第２計算デバイスにおける前記第２アクションの実行を指令するデーターを含む、ステップと、
前記第１計算デバイスによって、第２サービスを含む第２体験共有セッションを開始するステップであって、前記第２サービスが、前記第１計算デバイスによってサポートされ、前記第２計算デバイスについての前記能力情報において示される、ステップと、
によって、前記第１計算デバイスにおける相互通信を前記第１計算デバイスに制御させるためのコンピューター実行可能命令を格納する、当該コンピューター読み取り可能記憶媒体。